(57)【要約】      （修正有）【課題】液の外部への漏れをなくし、周囲の汚れや液の無駄をなくすることができる蓄圧式スプレーを提供する。【解決手段】キャップ部１と、該キャップ部に取り付け可能なボディ部３と、該ボディ部３に取り付けられたベース体２と、該ボディ部３に取り付けられたシリンダ部６と、該シリンダ部６の底に取り付けられたＦバルブ７と、該シリンダ部６内を摺動するピストン部８と、該ピストン部８を前後方向に移動させる回動可能なトリガー９と、ボディ部３の通路に取り付けられた蓄圧バルブ（Ｓバルブ１０）と、該蓄圧バルブを閉弁方向に押圧する押圧バネ部１１と、を備え、トリガー９を回動させることにより、液体を噴出する蓄圧式スプレーであって、ベース体２とボディ部３との間にシリンダ部６内に通じる液通路１２が形成されており、蓄圧バルブとベース体２との間にある液を該液通路１２と導入管４を介して容器内に回収させる蓄圧式スプレー。【選択図】図１
2017226474.tif 000002
【特許請求の範囲】
【請求項１】
キャップ部と、
該キャップ部に取り付け可能なボディ部と、
該ボディ部に取り付けられたベース体と、
該ベース体に取り付けられた容器の液を導入するための導入管と、
該ボディ部に取り付けられたノズル部と、
該ボディ部に取り付けられたシリンダ部と、
該シリンダ部の底に取り付けられたＦバルブと、
該シリンダ部内を摺動するピストン部と、
該ピストン部を前後方向に移動させる回動可能なトリガーと、
該トリガーを復帰させるための復帰バネ部と、
ボディ部の通路に取り付けられた蓄圧バルブと、
該蓄圧バルブを閉弁方向に押圧する押圧バネ部と、
を備え、トリガーを回動させることにより、液体を噴出する蓄圧式スプレーであって、ベース体とボディ部との間にシリンダ部内に通じる液通路が形成されており、
蓄圧バルブとベース体との間にある液を該液通路と導入管を介して容器内に回収させる蓄圧式スプレー。
【請求項２】
押圧バネ部とベース体とが一体になっていることを特徴とする請求項１記載の蓄圧式スプレー。
【請求項３】
押圧バネ部と蓄圧バルブとが一体となっていることを特徴とする請求項１記載の蓄圧式スプレー。
【請求項４】
ベース体の中央部に導入管が取り付けられていることを特徴とする請求項１記載の蓄圧式スプレー。
【請求項５】
ベース体の中央から偏芯した位置に押圧バネ部が設けられたことを特徴とする請求項１記載の蓄圧式スプレー。
【発明の詳細な説明】
【技術分野】
【０００１】
本発明は、蓄圧式スプレーに関し、より詳しくは、外への液漏れが生じない蓄圧式スプレーに関する。
【背景技術】
【０００２】
液噴出スプレーには、噴出力を高める特殊なＳバルブを備えたいわゆる蓄圧式スプレーがある。
この蓄圧式スプレーは、一般に、シリンダに対してピストンをスライドさせることにより、一定圧を超えたシリンダ内の液体をノズルから噴出させる構造となっている。
ここで、液体の流通が開閉される部位は、弁体と弁座によって封鎖されており、Ｆバルブが閉じた状態において一定の圧力で蓄圧された液体がシリンダ内から押し出されることにより、Ｓバルブの弁体と弁座とが開放されるようになっている。
この場合、Ｓバルブの弁体がバネを介して弁座に押圧されており、シリンダ内の液圧がこの押圧力を超えると弁が開いて液が通過することとなる。
いきなり弁が開いて液圧が開放されるので、液体は勢い良く外部に噴出するが、この後、シリンダ内が放圧されて、Ｓバルブは再び封鎖する。
蓄圧式スプレーにおいては、このようにして、シリンダ内の液を勢い良く外部に噴出することが可能であり極めて有用である。
【０００３】
このような蓄圧スプレーＡとしては、例えば、本出願人によるものが幾つか出願されている（特許文献１、特許文献２等）。
例えば、容器に取り付けられた状態で、トリガー部（Ｔ）の回動によりピストン部（５）を移動させてシリンダ構造部（４）のシリンダ部内の液に圧を加え、容器の液を通路（Ｐ）を通してノズル部（３）から噴射させるトリガースプレイヤであって、シリンダ部と容器との間の通路に設けられたＦバルブ（２）と、該シリンダ部（４２Ａ）とノズル部の間の通路部に設けられたＳバルブ（１）と、を備え、Ｓバルブ（１）の弁体（１１）が、起立円筒部（７１）の弁座（１２）に対して押圧されており、シリンダ部の液圧によって、弁体と弁座との間に間隙を生じさせ（開弁）、液を通過させるものがある（例えば、特許文献１参照）。
【先行技術文献】
【特許文献】
【０００４】
【特許文献１】特願２０１５−１３３１３３号公報
【特許文献２】特願２０１６−８７５８１号公報
【発明の開示】
【発明が解決しようとする課題】
【０００５】
しかしながら、上記特許文献１に記載の蓄圧スプレーＡにおいては、押圧バネ部がＳバルブの上方に設けられているため、蓄圧バルブの液通路側と反対側に停留する液は、外部に逃がす構造とならざるを得ない。
すなわち図１３のボディ部に逃がし孔Ｇが形成されており、押圧バネ部の存在する密閉空間の液を外部に逃がすものである。
停留する液を逃がさない場合、液が充満し押圧バネ部の動きを妨げるバルブロック現象が生じる。
液を外部に逃がす構造であるため、液が外部に漏れ出て周囲を汚す原因となったり、或いは液が外に漏れ出て無駄になり、液コストも増加する欠点がある。
【０００６】
本発明は上記事情を背景としてなされたものであり、液の外部への漏れをなくし、周囲の汚れや液の無駄をなくすることができる蓄圧式スプレーを提供することを目的とする。
【課題を解決するための手段】
【０００７】
本発明者は、上記課題を解決するため鋭意検討したところ、本来外部に逃がすべき液を、構造を工夫することで容器の中に戻して回収することにより、上記課題を解決し得ることを見出し、本発明を完成するに至った。
【０００８】
すなわち本発明は、（１）、キャップ部１と、該キャップ部１に取り付け可能なボディ部３と、該ボディ部３に取り付けられたベース体２と、該ベース体２に取り付けられた容器の液を導入するための導入管４と、該ボディ部３に取り付けられたノズル部５と、該ボディ部３に取り付けられたシリンダ部６と、該シリンダ部６の底に取り付けられたＦバルブ７と、該シリンダ部６内を摺動するピストン部８と、該ピストン部８を前後方向に移動させる回動可能なトリガー９と、該トリガー９を復帰させるための復帰バネ部１３と、ボディ部３の通路に取り付けられた蓄圧バルブ（Ｓバルブ１０）と、該蓄圧バルブを閉弁方向に押圧する押圧バネ部１１と、を備え、トリガー９を回動させることにより、液体を噴出する蓄圧式スプレーであって、ベース体２とボディ部３との間にシリンダ部６内に通じる液通路１２が形成されており、蓄圧バルブとベース体２との間にある液を該液通路１２と導入管４を介して容器内に回収させる蓄圧式スプレーに存する。
【０００９】
すなわち本発明は、（２）押圧バネ部１１とベース体２とが一体になっている上記（１）記載の蓄圧式スプレーに存する。
【００１０】
すなわち本発明は、（３）押圧バネ部１１と蓄圧バルブとが一体となっている上記（１）記載の蓄圧式スプレーに存する。
【００１１】
すなわち本発明は、（４）、ベース体２の中央部に導入管４が取り付けられている上記（１）記載の蓄圧式スプレーに存する。
【００１２】
すなわち本発明は、（５）、ベース体２の中央から偏芯した位置に押圧バネ部１１が設けられた上記（１）記載の蓄圧式スプレーに存する。
【発明の効果】
【００１３】
本発明は、キャップ部１と、該キャップ部に取り付け可能なボディ部３と、該ボディ部３に取り付けられたベース体２と、該ベース体２に取り付けられた容器の液を導入するための導入管４と、該ボディ部３に取り付けられたノズル部５と、該ボディ部３に取り付けられたシリンダ部６と、該シリンダ部６の底に取り付けられたＦバルブ７と、該シリンダ部６内を摺動するピストン部８と、該ピストン部８を前後方向に移動させる回動可能なトリガー９と、該トリガー９を復帰させるための復帰バネ部１３と、ボディ部３の通路に取り付けられた蓄圧バルブ（Ｓバルブ１０）と、該蓄圧バルブを閉弁方向に押圧する押圧バネ部１１と、を備え、トリガー９を回動させることにより、液体を噴出する蓄圧式スプレーであって、ベース体２とボディ部３との間にシリンダ部６内に通じる液通路１２が形成されており、蓄圧バルブとベース体２との間にある液を該液通路１２と導入管４を介して容器内に回収させることにより、液漏れが発生した場合でも、液が外部へ漏れ出て周囲を汚損することがなく、また、バルブロック現象が生じない。加えて、液が容器に回収されて再度噴霧に用いることができる。
【００１４】
また、本発明は、押圧バネ部１１とベース体２とが一体になっていることにより、部品点数が少なく組み付けが容易であり、蓄圧式スプレーＡを製造する際の組み付け工数が少なくなる。また、製造コストを削減できる。
【００１５】
また、本発明は、押圧バネ部１１と蓄圧バルブとが一体となっていることにより、部品点数が少なく組み付けが容易であり、蓄圧式スプレーＡを製造する際の組み付け工数が少なくなる。また、製造コストを削減できる。
【００１６】
また、本発明は、ベース体２の中央部に導入管４が取り付けられていることにより、液漏れが生じた際にも、液の容器への回収をスムーズに行うことができる。
【００１７】
また、本発明は、ベース体２の中央から偏芯した位置に押圧バネ部１１が設けられたことにより、バルブ内に残留する過剰な液を効率的に容器に回収できる。
【図面の簡単な説明】
【００１８】
【図１】図１は、蓄圧式スプレーＡの側面断面図である。
【図２】図２は、Ｓバルブの組み込まれた部分を拡大して示す断面図である。
【図３】図３は、トリガーを引いていない状態の蓄圧スプレーＡの側面断面図である。
【図４】図４は、トリガーを引いている途中の蓄圧スプレーＡの側面断面図である。
【図５】図５はトリガーを引き終わった状態の蓄圧スプレーＡの側面断面図である。
【図６】図６は、復帰バネ部により、トリガーが元の位置へ戻っている途中の蓄圧式スプレーＡの側面断面図である。
【図７】図７は、上空間内の液圧により押し下げられた状態を示すＳバルブの側面断面図である。
【図８】図８は、液漏れが生じた際のＳバルブの状態を示す側面断面図である。
【図９】図９は、図３におけるＸ−Ｘ´断面図である。
【図１０】図１０は、他の実施例にかかるＳバルブの側面断面図である。
【図１１】図１１は、他の実施例にかかるＳバルブの側面断面図である。
【図１２】図１２は、先行技術の蓄圧式スプレーの側面断面図である。
【図１３】図１３は、先行技術の蓄圧式スプレーの斜視図である。
【発明を実施するための形態】
【００１９】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
（実施の形態）
本発明は、外への液漏れが生じず、バルブロック現象が生じない蓄圧式スプレーＡに関するものである。
以下、蓄圧式スプレーＡの一例について述べる。
【００２１】
図１は、蓄圧式スプレーＡの側面断面図である。
本発明の蓄圧式スプレーＡは、機能についていうと、図に示さない容器に取り付けられ、シリンダ部６内に液が充填した状態で、トリガー９の回動によりピストン部８を図でいう右側に移動させてシリンダ部６のシリンダ部６内の液に圧を加え（この時、Ｆバルブ７は閉じており、Ｓバルブ１０は開いている）、ノズル部５から噴射させるものである。
【００２２】
また、反対にトリガー９の復帰回動によりピストン部８を下流側（図における左側）に移動させて、シリンダ部６内を負圧化し、容器内の液をシリンダ部６内に充填させるものである（この時、Ｆバルブ７は開いており、Ｓバルブ１０は閉じている）。
【００２３】
尚、Ｆバルブ７はシリンダ部６と容器との間の液通路１２に設けられ、他方、Ｓバルブ１０はシリンダ部６とノズル部５の間の液通路１２に設けられている。
【００２４】
構造についていうと、蓄圧式スプレーＡは、ノズル部５と、ボディ部３と、シリンダ部６と、ピストン部８と、トリガー９と、復帰バネ部１３と、Ｓバルブ１０と、Ｆバルブ７と、押圧バネ部１１を備えたベース体２と、導入管４と、キャップ部１と、を備えている。
また、シリンダ部６やボディ部３やベース体２を覆うカバー体を備えている。
【００２５】
ボディ部３には、シリンダ部６を圧入するための空間を有するシリンダ受入部３１と、下方にベース体２を圧入するための空間を有するベース体受入部３２が設けられている。
シリンダ部６はボディ部３のシリンダ受入部３１に圧入により、また、ベース体２はボディ部３のベース体受入部３２に圧入により取り付けられる。
また、ノズル部５はボディ部３の上方に圧入により取り付けられる。 
【００２６】
トリガー９はボディ部３に回動可能に取り付けられており、復帰バネ部１３により復帰の回動が可能である。
【００２７】
次に、蓄圧式スプレーＡを構成する各部品について述べる。
まず、ボディ部３は、先述したようにシリンダ受入部３１を備えるが、このシリンダ受入部３１は、ボディ部３の中ほどで、前方（ノズル部側）へ開口した円筒状に形成されている。
【００２８】
また、ボディ部３の下端には外方にリブ３３が形成されており、該リブ３３がキャップ部１の上端と容器により挟み込まれる。
これにより、ボディ部３とキャップ部１が確実に組み立てられる。
【００２９】
ボディ部３のベース体受入部３２は、ベース体２の形状に対応してボディ部３の下方に開口して形成されている。ベース体２はボディ部３に取り付けられた状態で、キャップ部１を介して容器の口部に取り付けられる。
【００３０】
ベース体２は、詳しくは円筒状の固定部２１と、それより上方に伸びる起立円筒部２２とを有している。
そして中央部下方には、容器へと連絡する導入管４が圧入により取り付けられる。
【００３１】
ボディ部３のベース体受入部３２にベース体２の起立円筒部２２が取り付けられた状態では、ベース体受入部３２の上部に一定の広さの空間が画される。該空間には、後述するＳバルブ１０が配設される。
【００３２】
また、上面視でベース体２の中央部から離れた位置に（換言すると導入管４の取り付け位置から偏芯した地位に）押圧バネ部１１と上述した起立円筒部２２とが上下方向に配設される。
ここで、この押圧バネ部１１はベース体２と射出成型等により一体形成されている。詳しくはベース体２の起立円筒部２２上端から起立して設けられる。このことにより部品点数の削減を図ることが可能となる。
また一体形成されることにより押圧バネ部１１の位置が固定されるので、Ｓバルブ１０への押圧力が的確に伝達される。
この実施形態の押圧バネ部１１はやや先細りした円筒状に形成され、さらに、その円筒壁が等間隔に欠損されてなるものである。
本実施の形態では、欠損が３箇所となっており押圧バネ部１１が３分割片よりなる例で示す。
このことにより、押圧バネ部１１の弾圧力が、偏りなく均等にＳバルブへ伝達される。
更にいうと、Ｓバルブ１０の鍔部１０ｃの下側に対し押圧バネ部１１が弾圧力を与える際に、Ｓバルブ１０及び押圧バネ部１１の軸心が安定した状態で維持される。
また、押圧バネ部１１は板バネであることから、高い弾圧力が得られる。
【００３３】
導入管４とＦバルブ７の間の液通路１２は、ボディ部３の内周壁と、ベース体２の起立円筒部２２の外壁により画され、スリット状となっている。
【００３４】
Ｆバルブ７はシリンダ部６と該液通路１２との間に設けられており、詳しくはシリンダ部６の底部に設けられている。
このＦバルブ７は容器側の液とシリンダ部６内の液を遮断或いは合流させるものである。
Ｆバルブ７は、シリンダ部６に圧が加えられ、内部の液が外方に噴出した後、ピストン部８が元の位置に戻ろうとするため、シリンダ部６内が減圧され、液通路１２から液がシリンダ部６内へ引き込まれることにより開弁される。
【００３５】
Ｆバルブ７は第２弁体Ｅ２と第２弁座Ｖ２とにより弁機能を発揮するもので、ボディ部３の底部に形成された環状の突起部がこの第２弁座Ｖ２の役割を担っている。
通常時、第２弁体Ｅ２は第２弁座Ｖ２に対して弾圧的に当接しており、開弁時に離れる。
【００３６】
すなわち、容器から吸い上げられてくる液により圧力を受けて、Ｆバルブ７の第２弁体Ｅ２は下流側（図で左側）に平行移動し、開弁する。
【００３７】
次にＳバルブ１０について述べる。図２は、Ｓバルブ１０の組み込まれた部分を拡大して示す断面図である。Ｓバルブ１０は第１弁体Ｅ１、該第１弁体Ｅ１の下方に形成されたバルブリップ部１０ａ及び更に下方に形成された鍔部１０ｂよりなる。
【００３８】
Ｓバルブ１０はボディ部３の内部（先述した、ベース体２とボディ部３内周壁で画される空間）に配される。Ｓバルブ１０が配されるボディ部３の内周壁は、上方が縮径された段差部Ｖ１を有している。この段差部Ｖ１がＳバルブ１０の第１弁座Ｖ１の機能を担う。Ｓバルブ１０の第１弁体Ｅ１は該段差部Ｖ１に対向する傾斜面Ｅ１を有し、該傾斜面Ｅ１がボディ部３の段差部Ｖ１に当接している。
Ｓバルブ１０のこの傾斜面Ｅ１は、押圧バネ部１１により上方へ持ち上げられることによって、ボディ部３の内周壁の段差部Ｖ１と弾圧的に当接している。
【００３９】
Ｓバルブ１０の下方には、上方へ向けて漸次拡大するバルブリップ部１０ａが設けられ、ボディ部３の内周壁に対して弾圧的に当接している。
すなわち、バルブリップ部１０ａにより、ボディ部３の内周壁とＳバルブ１０の第１弁体Ｅ１との間の空間である上空間Ｋ１と、Ｓバルブ１０下方とボディ部３の内周壁及びベ  ース体２との間の空間である下空間Ｋ２が遮断されている。
【００４０】
上述したように、ボディ部３の段差部Ｖ１である第１弁座Ｖ１とＳバルブ１０の第１弁体Ｅ１が弾圧的に当接していることにより、上空間Ｋ１は密閉された状態にある。
【００４１】
他方、バルブリップ部１０ａより下方の下空間Ｋ２は、ボディ部３の内周壁とベース体２の起立円筒部２２の外壁との間の液通路１２とい連通している。
【００４２】
バルブリップ部１０ａの下方には下方へ向けてスカート状に延出する鍔部１０ｂが設けられる。鍔部１０ｂは、Ｓバルブ１０が上下に移動する際にボディ部３内周壁と摺動し、Ｓバルブ１０をガイドする。
【００４３】
Ｓバルブ１０は、トリガー９操作によりピストン部８が移動して、シリンダ部６に通じる上空間Ｋ１に液圧がかかることにより押圧バネのバネ力に打ち勝って下方に摺動し、先述したボディ部３の段差部Ｖ１である第１弁座Ｖ１と、Ｓバルブ１０の第１弁体Ｅ１の傾斜部との間が開く（開弁する）。
これにより、上空間Ｋ１から押し出された液は、さらにノズル部５へと流れ、ノズル部５より外部へと噴出する。
液が噴出され、上空間Ｋ１にかかる液圧が下がると、今度は押圧バネ部１１の弾圧力がＳバルブ１０を上方へと押し上げ、Ｓバルブ１０はボディ部３の段差部Ｖ１である第１弁座Ｖ１に弾圧的に当接する（閉弁する）。これにより、上空間Ｋ１が再度密封される。
【００４４】
Ｓバルブ１０が閉弁した状態で、トリガー９は復帰バネ部１３によって元の位置に戻る。この際、トリガー９によってピストン部８が移動されるとシリンダ内が負圧化し、容器内の液が導入管４を介して、Ｆバルブ７を通ってシリンダ内に引き込まれる（Ｓバルブ１０は閉じ、Ｆバルブ７は開く）。
【００４５】
図３〜図６はトリガー９を引いて、トリガー９が復帰バネ部１３により元の位置に戻るまでの一連の動きを示す図である。
図３はトリガー９を引いていない状態の蓄圧スプレーＡの側面断面図である。
図４は、トリガー９を引いている途中の蓄圧スプレーＡの側面断面図である。
図５はトリガー９を引き終わった状態の蓄圧スプレーＡの側面断面図である。
図６は、復帰バネ部１３により、トリガー９が元の位置へ戻っている途中の蓄圧式スプレーＡの側面断面図である。
図７は、上空間Ｋ１内の液圧により押し下げられたＳバルブ１０の側面断面図である。
【００４６】
次に、液の流れについて言う。トリガー９の操作によって容器内の液は導入管４を通じて吸い上げられ、ボディ部３の内周壁とベース体２の外壁との間の液通路１２を通じ、Ｆバルブ７を通ってシリンダ部６へと吸い上げられる。
その後、上空間Ｋ１へと押し出され、Ｓバルブ１０を通ってノズル部５へ至り、外部へ噴霧される。
【００４７】
ここで蓄圧式トリガー９においては、バルブリップ部１０ａに不具合が生じ、上空間Ｋ１から下空間Ｋ２へ液が漏れ出る場合が生じ得る。
これらによって、下空間Ｋ２、具体的には押圧バネ部１１の周囲の空間に液が充填され、これが密閉状態にあると、Ｓバルブ１０の動きが妨げられるいわゆるバルブロックの状態が生じる。
しかし、本発明の蓄圧式スプレーにおいてはこの密閉状態が回避できる。
【００４８】
図８は、液漏れが生じた際のＳバルブ１０の拡大側面断面図である。
【００４９】
すなわち、本発明のＳバルブ１０は、押圧バネ部１１がＳバルブ１０の下方に設けられており、Ｓバルブ１０上方の液圧が過剰になった際や、バルブリップ部１０ａに不具合が生じた場合、Ｓバルブ１０上方に充填された液はバルブリップ部１０ａとボディ内周壁の間隙から押圧バネ部１１の側（下空間Ｋ２）に入り込む。
ところが本発明では、押圧バネ部１１が収まる下空間Ｋ２は、ボディ部３の内周壁とベース体２の起立円筒部２２の外壁との間に形成された液通路１２を介して容器と連続しているため、過剰な液は常に容器へ逃げられる状態であり、液が充填していてもＳバルブ１０の上下の摺動が妨げられることがない。すなわち、バルブロック現象が生じない。
【００５０】
図９は、図３におけるＸ−Ｘ´断面図である
【００５１】
先述した通り、液通路１２はベース体２の外壁とボディ部３内周壁により画されている。バルブリップ部１０ａの直下にある下空間Ｋ２は、液通路１２と連絡する一体の空間となっているため、上空間Ｋ１から下空間Ｋ２へバルブリップ部１０ａを介して液漏れが生じた場合にも、その漏れ出た液が液通路１２を通って導入管４へ至り、容器に回収される。
このように下空間Ｋ２は液通路１２を通じて容器まで常に連通しているため、下空間Ｋ２に液が充填されている状態であっても、Ｓバルブ１０の動きを妨げることがなく、バルブロック現象が生じない。
【００５２】
したがって、従来のように外部への逃がし穴を作る機構と異なり、外部に液が漏れないので周囲を汚損することがない。
また、容器に回収された液は再度噴霧のために利用することができるため、無駄がない。
【００５３】
以上、本発明の好適な実施形態について説明したが、本発明は上記実施形態に限定されるものではない。
【００５４】
押圧バネ部１１の円筒壁は等間隔で欠損されているが、その欠損の分割数は２以上とすることができる。
【００５５】
取り付けベース部の形状を変更できる。例えば、取り付けベース部を、その上面に一体に形成されている押圧バネ部が円筒体を２つ上下に重ねた形状をしたものとすることが考えられる（図１０参照）。
この円筒体が上から圧を受けることにより圧縮されて復帰力を発揮するものである。
Ｓバルブの下面がこの円筒体の上に形成された円板に当接し円筒体がやや圧縮された状態にあると、Ｓバルブの弁体が弁座に圧接して閉弁する。
【００５６】
また、押圧バネ部を取り付けベース部やＳバルブとは別体とし、金属によって設けることが考えられる（図１１参照）。
【００５７】
なお、以上説明したベース体２の材質としては、熱可塑性樹脂（樹脂ｐｐ）、ポリアセタール（ＰＯＭ）等の素材が好適に用いられる。
【産業上の利用可能性】
【００５８】
本発明の蓄圧式スプレーＡは、工業用、家庭用を問わず液体を噴霧する目的に広く用いられる。  過剰なバルブ内の液が、戻るため液の利用効率が高く、また周囲を汚損することがない。加えて、ベース体２に押圧バネ部１１が一体に設けられているため、Ｓバルブへの押圧力が効率よく作用し、蓄圧式スプレーＡとして高い噴霧効率が期待できるものである。
【符号の説明】
【００５９】
Ａ・・・蓄圧式スプレー
１・・・キャップ部
２・・・ベース体
２１・・・固定部
２２・・・起立円筒部
３・・・ボディ部
３１・・・シリンダ受入部
３２・・・ベース体受入部
３３・・・リブ
４・・・導入管
５・・・ノズル部
６・・・シリンダ部
７・・・Ｆバルブ
８・・・ピストン部
９・・・トリガー
１０・・・Ｓバルブ
１０ａ・・・バルブリップ部
１０ｂ・・・鍔部
１１・・・押圧バネ部
１２・・・液通路
１３・・・復帰バネ部
Ｅ１・・・第１弁体（傾斜面）
Ｅ２・・・第２弁体
Ｖ１・・・第１弁座（段差部）
Ｖ２・・・第２弁座
Ｋ１・・・上空間
Ｋ２・・・下空間
【図１】
2017226474.tif 000003
【図２】
2017226474.tif 000004
【図３】
2017226474.tif 000005
【図４】
2017226474.tif 000006
【図５】
2017226474.tif 000007
【図６】
2017226474.tif 000008
【図７】
2017226474.tif 000009
【図８】
2017226474.tif 000010
【図９】
2017226474.tif 000011
【図１０】
2017226474.tif 000012
【図１１】
2017226474.tif 000013
【図１２】
2017226474.tif 000014
【図１３】
2017226474.tif 000015